(57)【要約】【課題】      ロール巻きしたジオグリッドを引き出して使用する際の巻き癖解消に有用な、網状体の引張治具を提供する。【解決手段】  引掛け突起を有する引掛けバーと、押えバーと、引掛けバーと押えバーを進退可能に連結するラック歯車機構を備えた連結部材と、ラック歯車機構と歯合する平歯車と、平歯車の回転軸を回転するラチェット歯車機構と、連結部材、平歯車の回転軸及びラチェット歯車機構を支持する支持体と、からなる網状体の引張治具。【選択図】    図１
2005232682.tif 000002
【特許請求の範囲】
【請求項１】
引掛け突起を有する引掛けバーと、押えバーと、引掛けバーと押えバーを進退可能に連結するラック歯車機構を備えた連結部材と、ラック歯車機構と歯合する平歯車と、平歯車の回転軸を回転するラチェット歯車機構と、連結部材、平歯車の回転軸及びラチェット歯車機構を支持する支持体と、からなる網状体の引張治具。
【請求項２】
引掛けバー及び／又は押えバーが連結部材に着脱可能に取り付けられていることを特徴とする請求項１記載の網状体の引張治具。
【請求項３】
ラチェット歯車機構が、上記回転軸を回転するラチェット歯車と、回転軸の端部に設けられたラチェットスパナ係合部とからなる請求項１又は２記載の網状体の引張治具。
【発明の詳細な説明】
【技術分野】
【０００１】
本発明は、網状体の引張治具に関する。さらに詳しくは、ロール巻きしたジオグリッドを引き出して使用する際の巻き癖解消に有用な引張治具に関する。
【背景技術】
【０００２】
道路、堤防、造成地などの構築に際し、盛土部を補強するためにジオグリッドを埋設することが行なわれている。一般にはカーボンブラックを配合したポリエチレンやポリプロピレンの孔開きシートを一軸又は二軸に延伸して得られる網状体が、強度、耐久性等に優れているところから重用されている。このようなプラスチック網状体は、その製法及び取扱いの容易性からロール巻きしたものが使用されている。しかるに工事現場で、剛性のあるこれらプラスチック網状体をロールから引き出して所定の大きさに切断して使用する場合、巻き癖が残っているため、水平に敷設するために少なからざる労力を要しているのが現状であった。
【発明の開示】
【発明が解決しようとする課題】
【０００３】
そこで本発明の目的は、ジオグリッドのこのような巻き癖を、工事現場で容易に解消することが可能な引張治具を提供することにある。
【課題を解決するための手段】
【０００４】
本発明の網状体の引張治具は、引掛け突起を有する引掛けバーと、押えバーと、引掛けバーと押えバーを進退可能に連結するラック歯車機構を備えた連結部材と、ラック歯車機構と歯合する平歯車と、平歯車の回転軸を回転するラチェット歯車機構と、連結部材、歯車の回転軸及びラチェット歯車機構を支持する支持体とからなる。
【０００５】
引掛けバー及び押えバーは、それぞれ取扱性の点から、好ましくは上記連結部材に着脱可能とされている。またラチェット歯車機構が、上記回転軸を回転するラチェット歯車と、回転する軸の端部に設けられたラチェットスパナ係合部とから形成することにより、ラチェットスパナにより手動で回転軸を回転させることができ、それに同軸に取り付けられた平歯車により容易にラック歯車を作動させることができ、したがって引掛けバーと押えバーの距離を狭めることにより、簡単に網状体を緊張させることができる。これにより網状体の巻き癖を解消することができる。
【発明の効果】
【０００６】
本発明によれば、持ち運び及び取扱いが容易で、工事現場において簡単にジオグリッドの巻き癖を解消することができる網状体の引張治具を提供することができる。
【発明を実施するための最良の形態】
【０００７】
以下、図面により本発明の網状体の引張治具について説明する。
【０００８】
図１は、ジオグリッド１の上に本発明の引張治具２を載置し、使用状態とした図面である。盛り土工事現場等において、ロールより所定長さに切断されたジオグリッドを、図面左下方から右上方に向かってジオグリッドを敷設しているところであり、左下方のジオグリッド先端は、盛土工事に使用されるＬ字状格子型枠（図示しない）の底面部に連結固定されている。ジオグリッドは、巻き癖により右上方からロール状に巻き戻る傾向があるが、これを本発明の引張治具により右上方に緊張させて解消するものである。図２は本発明の引張治具の平面図、図３はその正面図、図４はその左側面図である。
【０００９】
本発明の引張治具２は、引掛け突起３１を有する引掛けバー３とそれと対をなす押え突起４１を有する押えバー４を有し、その間をラックギア５とそれを進退可能に収納するラックギアケース６からなる連結部材７により連結され、ラックギアの作動により、バー間距離を調節できるようにされている。引掛けバー３及び押えバー４はいずれも断面Ｌ字状の長尺材であって、底面部はジオグリッドのような網状体を押さえつけ、さらには設置面に食い込んで固定する役割を果たすものである。いずれもその中央部に連結部材７と連結するための雌型嵌合部材３２及び４２を備えており、連結部材７の両先端に設けられた雄型嵌合部材７１及び７２が前記雌型嵌合部材３２及び４２に嵌合することによって、上記連結の達成を可能としている。引掛け突起３１は、引掛けバー３の後方壁面部に固着され、壁面部下方に突出するように所定間隔を置いて複数本設けられており、ジオグリッドの網目に引掛けておくことにより、引張治具の作動に伴い左下方のジオグリッドを緊張させる。その間隔はジオグリッドの網目間隔によっても異なるが、網目２〜１０当り一本の割合程度とするのがよい。押えバー４も引掛けバー３と同様な構造をなしており、引張治具の作動に際しては、作業員が押えバー４の底面部を踏みつけることにより引張治具及びジオグリッドを固定させておくことができる。引掛けバー３及び押えバー５には、容易に持ち運び可能とするため、それぞれの壁面部上に突出する取手３３及び４３がそれぞれ２箇所に設けられている。
【００１０】
連結部材７の中央部近傍におけるラックギアケース６の先端部では、両側面に２枚の壁面部を有する溝付部材の軸受けブラケット８が、その溝部にラックギアケース６が載置されるように設けられている。また軸受けブラケット８の壁面部には、平歯車１０の回転シャフト９を貫通、保持するための貫通孔を有している。平歯車１０は、軸受けブラケット８の２枚の壁面部間で、ラックギアケース６上部に設けられた開口部近傍でラックギア５と歯合するように回転シャフト９に取り付けられており、平歯車の回転によりラックギアが作動し、引掛けバーと押えバーの距離を調節できるようにされている。
【００１１】
軸受けブラケット８の壁面部の外側には、それぞれシャフト９を回転軸とする平歯車と同軸に設けられたラチェット歯車１１と、ピンにより軸受けブラケット８に回動可能に設けられた回動ハンドル１２により回動し、ラチェット歯車１１の溝に係合する係止爪１３が設けられており、係止爪１３をラチェット歯車１１の溝に当接させることにより、ラチェット歯車１１の逆回転を防止しつつ一方向に回転させ、その回転によって平歯車１０が一方向に回転すると共にラックギア５が進行し、もって引掛けバーと押えバーの距離を縮めるように作動させることができる。引掛けバー３の引掛け突起３１をジオグリッド１の網目に引掛けておけば、上記作動により、引掛けバー３前方のジオグリッド部に張力がかかるので、巻き癖が解消される。ラチェット歯車１１の作動は、シャフト９の先端に、ラチェットギア部から突出するように設けられているラチェットスパナ係合部１３を設けておくことにより、工事現場において、作業員がラチェットスパナ（図示しない）を係合させ、これを回動させることによって行なうことができる。
【００１２】
網状体の緊張作業終了後は、ハンドル１２を逆方向に回動させて係止爪１３とラチェット歯車１１の係合を解除し、次いでラチェット歯車を逆回転させることによりラックギアを後退させ、引掛けバーと押えバー間の距離を元に戻すことが可能となる。このような操作を、作業場所を変えて順次繰り返すことにより、網状体の巻き癖を順次解消していくことができる。
【００１３】
以上、本発明の引張治具を用いて１枚の網状体の巻き癖を解消する手順について説明したが、距離をおいて近接して敷設された２枚の網状体の端部網目に本発明の引張治具を適用することにより、同様に巻き癖を解消することができる。すなわち片方の網状体の端部網目に引張治具２の押え突起４１を入れ、押えバー４によりその端部を固定しておくと共に、他の網状体の端部網目に引張治具２の引掛け突起３１を絡ませ引掛けバー３によりその端部を抑えつけ、ラックギア５を同様に作動て両者間距離を近づけることにより、上記他の網状体を緊張させ、巻き癖を解消することができる。
【図面の簡単な説明】
【００１４】
【図１】ジオグリッド上に本発明の引張治具を載置した図面である。
【図２】本発明の引張治具の平面図である。
【図３】本発明の引張治具の正面図である。
【図４】本発明の引張治具の左側面図である。
【符号の説明】
【００１５】
１    ジオグリッド
２    引張治具
３    引掛けバー
３１  引掛け突起
４    押えバー
４１  押え突起
５    ラックギア
６    ラックギアケース
７    連結部材
８    軸受けブラケット
９    シャフト
１０  平歯車
１１  ラチェット歯車
１３  係止爪
【図１】
2005232682.tif 000003
【図２】
2005232682.tif 000004
【図３】
2005232682.tif 000005
【図４】
2005232682.tif 000006